(57)【特許請求の範囲】
【請求項１】
記録紙の両面に記録する両面記録が指定された画データ及び記録紙の片面に記録する片面記録が指定された画データを記録可能な画像記録装置において、画データを記録紙に記録する記録手段と、前記両面記録が指定された画データを記録する場合に該画データを両面記録するための記録紙が無いときには、該画データを片面記録に変更して他の記録紙に記録手段で記録させる制御手段とを備えた画像記録装置。
【請求項２】
請求項１に記載の画像記録装置において、前記両面記録が可能な記録紙が無い場合に、両面記録を中断するか、或いは他の記録紙に記録するかを設定する設定手段を備え、制御手段は、設定手段の設定に基づいて、記録手段を制御する画像記録装置。
【請求項３】
請求項２に記載の画像記録装置において、制御手段は、設定手段の設定に基づいて、前記両面記録が指定された画データの記録を中断する場合、前記片面記録が指定された画データの記録を先行させて記録手段で記録させる画像記録装置。
【請求項４】
請求項３に記載の画像記録装置において、両面記録を中断した旨を報知する表示手段又は記録手段を備え、制御手段は、片面記録が指定された画データを記録手段で記録する場合には、両面記録の中断後に、両面記録を中断した旨を表示手段又は記録手段に報知させる画像記録装置。
【発明の詳細な説明】
【０００１】
【発明の属する技術分野】
本発明は、複写機能付きファクシミリ装置に代表される画像記録装置に関し、より詳しくは両面記録する場合に新紙が無いときの動作に特徴を有する画像記録装置に関するものである。
【０００２】
【従来の技術】
複写機能付きファクシミリ装置において、受信画データを新紙（表側及び裏側がいずれも未記録の記録紙）の両面に記録する、いわゆる両面記録が提案されている。このような両面記録が可能な複写機能付きファクシミリ装置によれば、片面の２頁分の受信画データを新紙の両面に記録することや両面の受信画データを新紙の両面に記録することができる。
【０００３】
【発明が解決しようとする課題】
ところで、両面記録が可能な複写機能付きファクシミリ装置において、受信画データを両面記録している場合に新紙が無くなったときには、その両面記録を中断する。そして、新紙が補充された場合には、両面記録を再開する。このため、就業時間（例えば、午前９時〜午後５時）内に新紙が無くなった場合には、直ちに新紙が補充されるため、両面記録を素早く再開することができる。
【０００４】
しかしながら、就業時間以外において受信画データの両面記録中に新紙が無くなった場合には、直ちに新紙が補充されないこともある。このような場合には、新紙が無くなってから新紙が補充されるまでの間において、受信画データを記録することができない。このため、即時性が要求される受信画データを直ちに得られないこともある。このような状態が続くと、受信画データを記憶する画像メモリのメモリオーバーが発生してメモリ受信できなくなる。
【０００５】
本発明は、このような問題点に着目してなされたものであって、その目的は、利便性に優れた画像記録装置を提供することにある。
【０００６】
【課題を解決するための手段】
上記の目的を達成するために、請求項１に記載の発明では、記録紙の両面に記録する両面記録が指定された画データ及び記録紙の片面に記録する片面記録が指定された画データを記録可能な画像記録装置において、画データを記録紙に記録する記録手段と、前記両面記録が指定された画データを記録する場合に該画データを両面記録するための記録紙が無いときには、該画データを片面記録に変更して他の記録紙に記録手段で記録させる制御手段とを備えた。
【０００７】
請求項２に記載の発明では、請求項１に記載の画像記録装置において、前記両面記録が可能な記録紙が無い場合に、両面記録を中断するか、或いは他の記録紙に記録するかを設定する設定手段を備え、制御手段は、設定手段の設定に基づいて、記録手段を制御する。
【０００８】
請求項３に記載の発明では、請求項２に記載の画像記録装置において、制御手段は、設定手段の設定に基づいて、前記両面記録が指定された画データの記録を中断する場合、前記片面記録が指定された画データの記録を先行させて記録手段で記録させる。
【０００９】
請求項４に記載の発明では、請求項３に記載の画像記録装置において、両面記録を中断した旨を報知する表示手段又は記録手段を備え、制御手段は、片面記録が指定された画データを記録手段で記録する場合には、両面記録の中断後に、両面記録を中断した旨を表示手段又は記録手段に報知させる。
【００１０】
【発明の実施の形態】
以下に、本発明に係る画像記録装置を複写機能付きファクシミリ装置に具体化した一実施形態について図面を用いて説明する。
【００１１】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１２】
ＭＰＵ１０は、複写機能付きファクシミリ装置１を構成する各部を制御する。ＲＯＭ２０は、複写機能付きファクシミリ装置１を制御するためのプログラムを記憶する。ＲＡＭ３０は、複写機能付きファクシミリ装置１に関する各種情報を記憶する。具体的には、ＲＡＭ３０は、図２に示すように、受信画データのジョブを管理するジョブ管理テーブルＪＴを記憶している。ジョブ管理テーブルＪＴは、「ジョブ番号」及び「区分」の各項目から構成されている。ここで、「ジョブ番号」とは、受信した順にジョブを管理するための管理番号を示す。一方、「区分」とは、「ジョブ番号」に対応するジョブの受信画データが片面の受信画データであるか、或いは両面の受信画データであるかの区分を示す。
【００１３】
図１に示すように、読取部４０は、原稿上の画像データを読み取って、白黒２値のイメージデータを出力する。記録部５０は、電子写真方式のプリンタよりなり、受信画データや、コピー動作において読取部４０にて読み取られた原稿の画データを、記録紙上に記録する。また、記録部５０は、両面記録を中断した旨を示す「中断メッセージ」を記録紙上に記録する。さらに、記録部５０は、新紙を収容する第１記録紙カセット５１及び裏紙（表側が既に記録済みの記録紙）を収容する第２記録紙カセット５２を備えている。そして、第１及び第２記録紙カセット５１，５２には、それぞれ記録紙の有無を検出するための第１及び第２記録紙有無センサ５１ａ，５２ａが配設されている。尚、本実施形態では、第１及び第２記録紙カセット５１，５２には、同一サイズの記録紙、例えばＡ４サイズの記録紙が収容されている。
【００１４】
操作部６０は、ＦＡＸ／コピーキー６１、短縮キー６２、ワンタッチキー６３、テンキー（＊，＃キーを含む）６４、スタートキー６５及び設定キー６６等の各種操作キーを備えている。ＦＡＸ／コピーキー６１は、ＦＡＸモード又はコピーモードに設定するためのものである。短縮キー６２は、短縮番号の登録又は短縮番号から発信するためのものである。ワンタッチキー６３は、予め登録したＦＡＸ番号をワンタッチで指定するためのものである。テンキー６４は、電話番号等を入力するためのものである。スタートキー６５は、原稿の読み取り動作を開始させるためのものである。設定キー６６は、新紙が無い場合に、新紙が補充されるまで両面記録を中断するか、或いは裏紙に片面記録するかを設定するためのものである。ＬＣＤ等よりなる表示部７０は、複写機能付きファクシミリ装置１の動作状態等の各種情報の表示を行う。
【００１５】
画像メモリ８０は、受信画データや読取部４０で読み取られた画データを一時的に記憶する。コーデック９０は、読取部４０にて読み取られた画データを送信のためにＭＨ，ＭＲ，ＭＭＲ方式等により符号化（エンコード）する。また、コーデック９０は、受信画データを復号（デコード）する。
【００１６】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１７】
次に、図２に示すジョブ管理テーブルＪＴをＲＡＭ３０に記憶するときの動作について説明する。
片面記録及び両面記録が可能である旨を示すＤＩＳ信号を送信側に送出した後、送信側から片面の画データを送信する旨を示すＤＣＳ信号を受信した場合は、ＭＰＵ１０は、そのＤＣＳ信号に基づいて、送信されてくる画データが片面の画データであると判断する。そして、ジョブ管理テーブルＪＴの「区分」の項目に「片面」を書き込むとともに、その「片面」に対応する「ジョブ番号」の項目に「０００１」を書き込む。
【００１８】
一方、送信側から両面の画データを送信する旨を示すＤＣＳ信号を受信した場合は、ＭＰＵ１０は、そのＤＣＳ信号に基づいて、送信されてくる画データが両面の画データであると判断する。そして、ジョブ管理テーブルＪＴの「区分」の項目に「両面」を書き込むとともに、その「両面」に対応する「ジョブ番号」の項目に「０００２」を書き込む。
【００１９】
次に、複写機能付きファクシミリ装置１において、記録部５０で受信画データを記録紙上に記録するときの動作について、図３〜図５に示すフローチャートを用いて説明する。なお、この動作は、ＲＯＭ２０に記憶されたプログラムに基づき、ＭＰＵ１０の制御により実行される。
【００２０】
さて、図３に示すステップＳ１〜ステップＳ４では、記録を中断した片面の受信画データのジョブ、記録を中断した両面の受信画データのジョブ、記録前の両面の受信画データのジョブ及び記録前の片面の受信画データのジョブの有無を判断する。具体的には、ステップＳ１で、記録を中断した片面の受信画データのジョブがある場合にＲＡＭ３０にセットする「片面の受信画データのジョブの未完了フラグ」に基づいて、記録を中断した片面の受信画データのジョブの有無を判断する。しかし、１回目の制御サイクルのステップＳ１では、「片面の受信画データのジョブの未完了フラグ」をＲＡＭ３０にセットしていないため、ステップＳ２に移行する。
【００２１】
また、ステップＳ２では、記録を中断した両面の受信画データのジョブがある場合にＲＡＭ３０にセットする「両面の受信画データのジョブの未完了フラグ」に基づいて、記録を中断した両面の受信画データのジョブの有無を判断する。しかし、１回目の制御サイクルのステップＳ２では、「両面の受信画データのジョブの未完了フラグ」をＲＡＭ３０にセットしていないため、ステップＳ３に移行する。
【００２２】
さらに、ステップＳ３で、記録前の両面の受信画データのジョブがない場合、つまり両面の画データを受信していない場合は、ステップＳ４に移行する。
そして、ステップＳ４において記録前の片面の受信画データのジョブがある場合、つまり片面の画データを受信した場合は、その受信画データの区分「片面」及びジョブ番号「０００１」を図２に示すジョブ管理テーブルＪＴに書き込んで、ステップＳ５に移行する。
【００２３】
ステップＳ５では、第１及び第２記録紙有無センサ５１ａ，５２ａからの検出信号に基づいて、第１及び第２記録紙カセット５１，５２内の記録紙の有無を判断する。第１及び第２記録紙カセット５１，５２のいずれかに記録紙がある場合は、ステップＳ６で、ジョブ管理テーブルＪＴに基づいて、最も古い片面の受信画データのジョブ、つまり１回目の制御サイクルでは、前記ステップＳ４において受信した片面の画データのジョブを選択する。
【００２４】
ステップＳ７では、前記ステップＳ６において選択した片面の受信画データを記録部５０で記録紙に片面記録する。
ステップＳ８では、前記ステップＳ６において選択した片面の受信画データの片面記録が終了したか否かを判断する。前記ステップＳ６において選択した片面の受信画データの片面記録が終了した場合は、ステップＳ１１に移行する。一方、前記ステップＳ６において選択した片面の受信画データの片面記録が終了していない場合は、ステップＳ９で、第１及び第２記録紙有無センサ５１ａ，５２ａからの検出信号に基づいて、第１及び第２記録紙カセット５１，５２内の記録紙の有無を判断する。そして、第１及び第２記録紙カセット５１，５２のいずれかに記録紙がある場合は、ステップＳ７で、前記ステップＳ６において選択した片面の受信画データを記録部５０で記録紙に片面記録する。即ち、前記ステップＳ６において選択した片面の受信画データの片面記録が終了するまで、ステップＳ７〜ステップＳ９の処理を繰り返す。
【００２５】
前記ステップＳ９において第１及び第２記録紙有無センサ５１ａ，５２ａからの検出信号に基づいて、第１及び第２記録紙カセット５１，５２のいずれにも記録紙が無いと判断した場合は、ステップＳ１０で、「片面の受信画データのジョブの未完了フラグ」をＲＡＭ３０にセットする。この「片面の受信画データのジョブの未完了フラグ」とは、片面の受信画データの記録を中断した場合にＲＡＭ３０にセットするフラグである。つまり、前記ステップＳ６において選択した片面の受信画データの記録が終了する前に記録紙が無くなった場合は、記録紙が補充されたときに片面の受信画データの記録を再開するために「片面の受信画データのジョブの未完了フラグ」をＲＡＭ３０にセットしているのである。
【００２６】
従って、前記ステップＳ１０において「片面の受信画データのジョブの未完了フラグ」をＲＡＭ３０にセットした場合は、２回目の制御サイクルのステップＳ１で、「片面の受信画データのジョブの未完了フラグ」に基づいて、記録を中断した片面の受信画データのジョブがあると判断して、ステップＳ５に移行する。そして、記録紙が補充された場合は、ステップＳ６で、ジョブ管理テーブルＪＴに基づいて、最も古い片面の受信画データのジョブ、つまり前記ステップＳ１０において「片面の受信画データのジョブの未完了フラグ」をＲＡＭ３０にセットした片面の受信画データのジョブを選択し、その選択した片面の受信画データのジョブに対してステップＳ７〜ステップＳ９の処理を繰り返す。やがて、前記ステップＳ６において選択した片面の受信画データの片面記録が終了した場合は（ステップＳ８の判断で「ＹＥＳ」）、ステップＳ１１で、「片面の受信画データのジョブの未完了フラグ」をＲＡＭ３０からクリアする。尚、片面の受信画データの記録の終了後は、画像メモリ８０から受信画データを消去するとともに、ジョブ管理テーブルＪＴからジョブに関するデータ（ジョブ番号「０００１」及び「片面」）を消去する。
【００２７】
このようにしてジョブ番号「０００１」の画データの片面記録が終了した後に、ステップＳ３において記録前の両面の受信画データのジョブがある場合、つまり両面の画データを受信した場合は、その受信画データの区分「両面」及びジョブ番号「０００２」を図２に示すジョブ管理テーブルＪＴに書き込んで、図４に示すステップＳ２１に移行する。
【００２８】
ステップＳ２１では、ジョブ管理テーブルＪＴに基づいて、最も古い両面の受信画データのジョブ、つまり図３に示すステップＳ３において受信した両面の画データのジョブを選択する。
【００２９】
図４に示すステップＳ２２では、第１記録紙有無センサ５１ａからの検出信号に基づいて、第１記録紙カセット５１内の新紙の有無を判断する。新紙がある場合は、ステップＳ２３に移行する。一方、新紙が無い場合は、ステップＳ２５に移行する。
【００３０】
ステップＳ２３では、前記ステップＳ２１において選択した両面の受信画データを記録部５０で新紙に両面記録する。
ステップＳ２４では、前記ステップＳ２１において選択した両面の受信画データの両面記録が終了したか否かを判断する。前記ステップＳ２１において選択した両面の受信画データの両面記録が終了した場合は、ステップＳ３０に移行する。一方、前記ステップＳ２１において選択した両面の受信画データの両面記録が終了していない場合は、ステップＳ２２で、第１記録紙有無センサ５１ａからの検出信号に基づいて、第１記録紙カセット５１内の新紙の有無を判断する。そして、新紙がある場合は、ステップＳ２３で、前記ステップＳ２１において選択した両面の受信画データを記録部５０で新紙に両面記録する。即ち、前記ステップＳ２１において選択した両面の受信画データの両面記録が終了するまで、ステップＳ２２〜ステップＳ２４の処理を繰り返す。
【００３１】
前記ステップＳ２２において第１記録紙有無センサ５１ａからの検出信号に基づいて、第１記録紙カセット５１内に新紙が無いと判断した場合は、ステップＳ２５で、設定キー６６の設定に基づいて、新紙が無い場合に、両面の受信画データを裏紙に片面記録する設定であるか否かを判断する。設定キー６６の設定に基づいて、両面の受信画データを片面記録する設定である場合は、ステップＳ２６に移行する。一方、設定キー６６の設定に基づいて、新紙が補充されるまで受信画データの両面記録を中断する設定である場合は、図５に示すステップＳ４１に移行する。
【００３２】
図４に示すステップＳ２６では、第２記録紙有無センサ５２ａからの検出信号に基づいて、第２記録紙カセット５２内の裏紙の有無を判断する。裏紙がある場合は、ステップＳ２７に移行する。一方、裏紙が無い場合は、ステップＳ２９に移行する。
【００３３】
ステップＳ２７では、前記ステップＳ２１において選択した両面の受信画データを記録部５０で裏紙に片面記録する。つまり、前記ステップＳ２２において新紙が無い場合であって、前記ステップＳ２５において片面記録する設定であるときには、両面の受信画データを新紙の代替として裏紙に片面記録しているのである。
【００３４】
ステップＳ２８では、前記ステップＳ２１において選択した両面の受信画データの片面記録が終了したか否かを判断する。前記ステップＳ２１において選択した両面の受信画データの片面記録が終了した場合は、ステップＳ３０に移行する。一方、前記ステップＳ２１において選択した両面の受信画データの片面記録が終了していない場合は、ステップＳ２６で、第２記録紙有無センサ５２ａからの検出信号に基づいて、第２記録紙カセット５２内の裏紙の有無を判断する。そして、裏紙がある場合は、ステップＳ２７で、前記ステップＳ２１において選択した両面の受信画データを記録部５０で裏紙に片面記録する。即ち、前記ステップＳ２１において選択した両面の受信画データの片面記録が終了するまで、ステップＳ２６〜ステップＳ２８の処理を繰り返す。
【００３５】
前記ステップＳ２６において第２記録紙有無センサ５２ａからの検出信号に基づいて、第２記録紙カセット５２内に裏紙が無いと判断した場合は、ステップＳ２９で、「両面の受信画データのジョブの未完了フラグ」をＲＡＭ３０にセットする。この「両面の受信画データのジョブの未完了フラグ」とは、両面の受信画データの記録を中断した場合にＲＡＭ３０にセットするフラグである。つまり、前記ステップＳ２１において選択した両面の受信画データの記録が終了する前に記録紙が無くなった場合は、記録紙が補充されたときに両面の受信画データの記録を再開するために「両面の受信画データのジョブの未完了フラグ」をＲＡＭ３０にセットしているのである。
【００３６】
従って、前記ステップＳ２９において「両面の受信画データのジョブの未完了フラグ」をＲＡＭ３０にセットした場合は、２回目の制御サイクルの図３に示すステップＳ２で、「両面の受信画データのジョブの未完了フラグ」に基づいて、記録を中断した両面の受信画データのジョブがあると判断して、図４に示すステップＳ２１に移行する。そして、ステップＳ２１では、ジョブ管理テーブルＪＴに基づいて、最も古い両面の受信画データのジョブ、つまり前記ステップＳ２９において「両面の受信画データのジョブの未完了フラグ」をＲＡＭ３０にセットした両面の受信画データのジョブを選択し、その選択した両面の受信画データのジョブに対してステップＳ２２〜ステップＳ２８の処理を繰り返す。やがて、前記ステップＳ２１において選択した両面の受信画データの記録が終了した場合は（ステップＳ２４又はステップＳ２８の判断で「ＹＥＳ」）、ステップＳ３０で、「両面の受信画データのジョブの未完了フラグ」をＲＡＭ３０からクリアする。尚、両面の受信画データの記録の終了後は、画像メモリ８０から受信画データを消去するとともに、ジョブ管理テーブルＪＴからジョブに関するデータ（ジョブ番号「０００２」及び「両面」）を消去する。
【００３７】
前記ステップＳ２５において設定キー６６の設定に基づいて、新紙が補充されるまで両面記録を中断する設定である場合は（ステップＳ２５の判断で「ＮＯ」）、図５に示すステップＳ４１で、「両面の受信画データのジョブの未完了フラグ」をＲＡＭ３０にセットする。つまり、図４に示すステップＳ２１において選択した両面の受信画データの両面記録中に新紙が無くなって両面記録を中断する場合は、先に片面の受信画データの片面記録を行わせる。そこで、新紙が補充されたときに両面記録を再開するために「両面の受信画データのジョブの未完了フラグ」をＲＡＭ３０にセットしているのである。
【００３８】
図５に示すステップＳ４２では、図２に示すジョブ管理テーブルＪＴにおいてジョブ番号「０００２」の画データの両面記録を中断したことに伴い、片面の受信画データのジョブの有無を判断する。片面の受信画データのジョブがある場合、つまり片面の画データを受信した場合は、その受信画データの区分「片面」及びジョブ番号「０００３」を図２に示すジョブ管理テーブルＪＴに書き込んで、ステップＳ４３に移行する。一方、片面の受信画データのジョブが無い場合は、この処理を終了する。
【００３９】
ステップＳ４３では、「中断メッセージの記録フラグ」をＲＡＭ３０にセットしたか否かを判断する。ここで、両面記録の中断に伴って、先に片面の受信画データの片面記録を行い、さらに新紙が補充されて両面記録を再開した場合には、中断前の両面記録済みの記録紙と再開後の両面記録済みの記録紙との間に、片面記録済みの記録紙が混在する。そこで、両面記録の中断後であって、片面記録の開始前に、両面記録を中断した旨を示す「中断メッセージ」を記録部５０で記録紙に記録する。そして、この「中断メッセージ」を記録した場合は、「中断メッセージの記録フラグ」をＲＡＭ３０にセットする。従って、１回目の制御サイクルのステップＳ４３では、「中断メッセージ」を記録していないため、換言すれば、「中断メッセージの記録フラグ」をＲＡＭ３０にセットしていないため、ステップＳ４４に移行する。
【００４０】
ステップＳ４４では、「中断メッセージ」を記録部５０で記録紙に記録する。具体的には、「中断メッセージ」として、例えば「新紙が無くなったため、両面記録を中断しました。受信原稿の５枚目（１０頁目）までは記録済みです。残りの受信原稿は３枚（６頁）です。新紙を補充して下さい。」を記録部５０で記録紙に記録する。
【００４１】
ステップＳ４５では、前記ステップＳ４４において「中断メッセージ」を記録したため、「中断メッセージの記録フラグ」をＲＡＭ３０にセットして、図３に示すステップＳ５に移行する。そして、ステップＳ７では、図２に示すジョブ管理テーブルＪＴにおいてジョブ番号「０００２」の画データの両面記録を中断したことに伴い、ジョブ番号「０００３」の画データの片面記録を実行する。
【００４２】
このようにしてジョブ番号「０００２」の画データの両面記録を中断したことに伴い、先にジョブ番号「０００３」の画データの片面記録を行った場合は、２回目の制御サイクルの図３に示すステップＳ２で、「両面の受信画データのジョブの未完了フラグ」に基づいて、記録を中断した両面の受信画データのジョブがあると判断して、図４に示すステップＳ２１に移行する。
【００４３】
ステップＳ２１では、ジョブ管理テーブルＪＴに基づいて、最も古い両面の受信画データのジョブ、つまり図５に示すステップＳ４１において「両面の受信画データのジョブの未完了フラグ」をＲＡＭ３０にセットした両面の受信画データのジョブを選択する。そして、新紙が補充された場合は、図４に示すステップＳ２２〜ステップＳ２４の処理を繰り返す。やがて、図５に示すステップＳ４１において「両面の受信画データのジョブの未完了フラグ」をＲＡＭ３０にセットした両面の受信画データの両面記録が終了した場合は（図４に示すステップＳ２４の判断で「ＹＥＳ」）、ステップＳ３０で、「両面の受信画データのジョブの未完了フラグ」をＲＡＭ３０からクリアする。そして、ステップＳ３１では、図５に示すステップＳ４５においてＲＡＭ３０にセットした「中断メッセージの記録フラグ」をＲＡＭ３０からクリアする。尚、両面の受信画データの記録の終了後は、画像メモリ８０から受信画データを消去するとともに、ジョブ管理テーブルＪＴからジョブに関するデータ（ジョブ番号「０００２」及び「両面」）を消去する。
【００４４】
以上、詳述したように本実施形態によれば、次のような作用、効果を得ることができる。
（１）両面記録する場合に新紙が無く、さらに設定キー６６の設定に基づいて、裏紙に片面記録するときには、記録部５０で両面の受信画データを新紙の代替として裏紙に片面記録している（図４に示すステップＳ２７）。その結果、新紙が無くなってから新紙が補充されるまでの間において、両面の受信画データの記録が中断されることはない。そのため、即時性が要求される両面の受信画データを直ちに得ることができる。しかも、両面の受信画データの記録の終了後は、画像メモリ８０から受信画データが消去されるため、画像メモリ８０のメモリオーバーが発生することもない。従って、利便性に優れた複写機能付きファクシミリ装置１を提供することができる。
【００４５】
（２）加えて、新紙が無い場合に、新紙が補充されるまで両面記録を中断するか、或いは裏紙に片面記録するかが設定キー６６で設定されると、その設定に基づいて、両面記録を中断或いは片面記録を実行している（図４に示すステップＳ２５）。このため、新紙が無い場合の動作を操作者のニーズに応じて任意に設定することができる。従って、操作者のニーズに応じた複写機能付きファクシミリ装置１を提供することができる。
【００４６】
（３）さらに、設定キー６６の設定に基づいて、新紙が補充されるまで両面記録を中断する場合であって、他に片面の受信画データがあるときには、その片面の受信画データを先に片面記録している（図５に示すステップＳ４２〜ステップＳ４５及び図３に示すステップＳ５〜ステップＳ１１）。つまり、新紙が無くなってから新紙が補充されるまでの間の時間を活用して、片面の受信画データを記録している。従って、記録部５０を有効に活用することができる。しかも、片面の受信画データの記録後は、その受信画データが画像メモリ８０から消去されるため、画像メモリ８０を有効に活用することもできる。
【００４７】
（４）また、先に片面記録する場合には、両面記録の中断後であって、片面記録の開始前に、両面記録を中断した旨を示す「中断メッセージ」を記録部５０で記録紙に記録している（図５に示すステップＳ４４）。そのため、中断前の両面記録済みの記録紙と片面記録済みの記録紙との間に排出した、「中断メッセージ」が記録済みの記録紙によって、両面記録の中断を認識させることができる。
【００４８】
なお、前記実施形態は、次のように変更して具体化することも可能である。
・「新紙」には、通常の白紙の他、色紙や厚紙を、「他の記録紙」には、「新紙」と同一サイズの裏紙の他、「新紙」と異なるサイズの新紙及び「新紙」と異なるサイズの裏紙を含ませてもよい。具体的には、図１に破線で示すように、第３記録紙カセット５３及び第３記録紙有無センサ５３ａを記録部５０に配設し、第１記録紙カセット５１に「Ａ４サイズ」の新紙を、第２記録紙カセット５２に「Ａ４サイズ」の裏紙を、第３記録紙カセット５３に「Ｂ４サイズ」の新紙を、それぞれ収容する。そして、両面の受信画データが「Ａ４」の場合であって、両面記録する場合に「Ａ４サイズ」の新紙が無いときには、「Ａ４サイズ」の裏紙又は「Ｂ４サイズ」の新紙に記録する構成でもよい。
【００４９】
・加えて、両面の受信画データが「Ａ４」の場合であって、両面記録する場合に「Ａ４サイズ」の新紙が無く、「Ａ４サイズ」の裏紙も無い場合は、「Ａ４」の受信画データを拡大して、「Ｂ４サイズ」の新紙に記録する構成でもよい。或いは、第３記録紙カセット５３に「Ｂ５サイズ」の新紙を収容し、両面の受信画データが「Ａ４」の場合であって、両面記録する場合に「Ａ４サイズ」の新紙が無く、「Ａ４サイズ」の裏紙も無い場合は、「Ａ４」の受信画データを縮小して、「Ｂ５サイズ」の新紙に記録する構成でもよい。
【００５０】
・さらに、第１〜第３記録紙カセット５１〜５３にいずれも「Ａ４サイズ」の新紙を収容した構成でもよい。そして、両面記録する場合に第１記録紙カセット５１内に「Ａ４サイズ」の新紙が無いときには、第２記録紙カセット５２内の「Ａ４サイズ」の新紙又は第３記録紙カセット５３内の「Ａ４サイズ」の新紙に記録する。つまり、記録紙カセットが異なっていれば、「他の記録紙」に「新紙」と全く同一の記録紙を適用することもできる。
【００５１】
・図３に示すステップＳ７の片面記録には、片面の受信画データを裏紙に記録することの他、片面の受信画データを新紙に記録することを含ませてもよい。また、片面記録には、両面の受信画データの片面１頁分を裏紙又は新紙に記録することを含ませてもよい。さらに、片面記録には、片面の受信画データを「Ｎin１処理」で合成コピーして裏紙又は新紙にまとめて記録することを含ませてもよい。また、片面記録には、両面の受信画データを「Ｎin１処理」で合成コピーして裏紙又は新紙にまとめて記録することを含ませてもよい。
【００５２】
・図４に示すステップＳ２３の両面記録には、両面の受信画データを新紙の両面に記録することの他、片面の受信画データの２頁分を新紙の両面に記録することを含ませてもよい。また、両面記録には、片面の受信画データ又は両面の受信画データを「Ｎin１処理」で合成コピーして新紙の両面に記録することを含ませてもよい。
【００５３】
・図５に示すステップＳ４４において、両面記録を中断した旨を示す「中断メッセージ」を表示部７０に表示する構成としてもよい。
・加えて、「中断メッセージ」を表示部７０に表示する構成において、その「中断メッセージ」を表示部７０に表示した状態で所定キー（例えば、クリアキー）が押下されると、「中断メッセージ」を記録紙に記録しないように構成してもよい。つまり、「中断メッセージ」が記録されないように無効化してもよい。このように構成すれば、「中断メッセージ」の表示に気付いた場合には、「中断メッセージ」を記録しなくても、操作者は、その「中断メッセージ」の表示に基づいて、両面記録の中断を認識することができる。従って、「中断メッセージ」の記録のために記録紙が無駄に消費されることを防止することができる。
【００５４】
・さらに、両面記録の中断後であって、片面記録の開始前に、「中断メッセージ」を記録しないで新紙又は裏紙を排出する構成としてもよい。このように構成すれば、中断前の両面記録済みの記録紙と片面記録済みの記録紙との間に排出した新紙又は裏紙によって、両面記録の中断を認識させることができる。しかも、その排出された新紙又は裏紙を操作者が第１又は第２記録紙カセット５１，５２に戻せば、記録紙が無駄に消費されることを防止することができる。
【００５５】
・加えて、両面記録の中断後であって、片面記録の開始前に、「中断メッセージ」を記録しないで新紙又は裏紙を排出する構成とした場合には、新紙又は裏紙のサイズを、両面記録した記録紙及び片面記録する記録紙のサイズとは異なるものとする構成が好ましい。また、それらの記録紙のサイズよりも大きなサイズとする構成が特に好ましい。具体的には、第１記録紙カセット５１に「Ａ４サイズ」の新紙を、第２記録紙カセット５２に「Ａ４サイズ」の裏紙を、図１に破線で示す第３記録紙カセット５３に「Ｂ４サイズ」の新紙を、それぞれ収容する。そして、両面の受信画データが「Ａ４」の場合において、「Ａ４サイズ」の新紙への両面記録の中断後であって、「Ａ４サイズ」の裏紙への片面記録の開始前に、「中断メッセージ」を記録しないで「Ｂ４サイズ」の新紙を排出する。このように構成すれば、「Ａ４サイズ」とは異なる「Ｂ４サイズ」の記録紙を排出することによって、両面記録の中断を容易に認識させることができる。また、「Ａ４サイズ」よりも大きな「Ｂ４サイズ」の記録紙を排出することによって、中断前の両面記録済みの記録紙と片面記録済みの記録紙との境界を容易に認識させることができる。
【００５６】
・前記実施形態では、図４に示すステップＳ２２において新紙が無い場合であって、ステップＳ２５において片面記録する設定であるときには、両面の受信画データを新紙の代替として裏紙に片面記録している。この片面記録において、受信画データに加えて、受信画データの表裏を示す旨のメッセージ、例えば「この頁は両面原稿の表面です。」又は「この頁は両面原稿の裏面です。」をも記録する構成としてもよい。このように構成すれば、裏紙２枚を新紙１枚に両面コピーして両面の受信画データを再現する場合には、前記メッセージに基づいて、容易に両面の受信画データを再現することができる。
【００５７】
・加えて、図４に示すステップＳ２２において新紙が無い場合であって、ステップＳ２５において片面記録する設定であるときには、両面の受信画データを新紙の代替として裏紙に片面記録するとともに、その片面記録が終了した後も画像メモリ８０から両面の受信画データを消去しない構成としてもよい。即ち、新紙が補充された場合は、片面記録した両面の受信画データを新紙に両面記録させる構成としてもよい。このように構成すれば、両面の受信画データを新紙の代替として裏紙に片面記録することにより、即時性が要求される両面の受信画データを素早く記録することができる。また、新紙が補充された場合には、両面の受信画データが新紙に両面記録されるため、裏紙２枚を新紙１枚に両面コピーして両面の受信画データを再現する手間を省略することができる。しかも、画像メモリ８０から読み出した受信画データが記録紙に記録されるため、画質が劣化することはない。
【００５８】
・さらに、図４に示すステップＳ２２において新紙が無い場合であって、ステップＳ２５において片面記録する設定であるときには、片面記録した両面の受信画データを画像メモリ８０から消去するか否かを設定キー６６で設定できる構成としてもよい。
【００５９】
・前記実施形態では、図４に示すステップＳ２９において「両面の受信画データのジョブの未完了フラグ」をＲＡＭ３０にセットした場合であって、新紙及び裏紙が補充されたときには、新紙への両面記録を再開する構成としたが（ステップＳ２３）、裏紙への片面記録を再開する構成としてもよい。
【００６０】
・受信画データを記録紙に記録するときに限らず、両面原稿を読取部４０で読み取った画データを記録紙に両面記録するときにも適用してもよい。このように構成すれば、画像記録装置をコピー機にも具体化することができる。或いは、画像記録装置を外部装置（例えばスキャナやパソコン）とＬＡＮ接続されたプリンタにも具体化することができる。
【００６１】
さらに、上記実施形態より把握される技術的思想について、以下にそれらの効果と共に記載する。
〔１〕画データを記憶する記憶手段を備え、制御手段は、両面記録する場合に新紙が無く、さらに設定手段の設定に基づいて、他の記録紙に記録するときには、その記録が終了した後であっても記憶手段から画データを消去しない画像記録装置。このように構成すれば、記憶手段から読み出した画データが記録紙に記録されるため、画質が劣化することはない。
【００６２】
〔２〕両面記録を中断した旨の中断メッセージを表示する表示手段と、記録手段による中断メッセージの記録を無効化する無効化手段とを備え、制御手段は、両面記録を中断した旨の中断メッセージを表示手段に表示した状態で無効化手段が操作された場合には、記録手段に中断メッセージを記録させない通信端末装置。このように構成すれば、中断メッセージの記録のために記録紙が無駄に消費されることを防止することができる。
【００６３】
【発明の効果】
本発明は、以上のように構成されているため、次のような効果を奏する。
請求項１〜請求項４のいずれか１項に記載の発明によれば、利便性に優れた画像記録装置を提供することができる。
【図面の簡単な説明】
【図１】複写機能付きファクシミリ装置の構成を示すブロック図。
【図２】ジョブ管理テーブルを示す説明図。
【図３】受信画データを記録するときの動作を示すフローチャート。
【図４】受信画データを記録するときの動作を示すフローチャート。
【図５】受信画データを記録するときの動作を示すフローチャート。
【符号の説明】
１…画像記録装置としての複写機能付きファクシミリ装置、１０…制御手段を構成するＭＰＵ、２０…制御手段を構成するＲＯＭ、３０…制御手段を構成するＲＡＭ、５０…記録手段としての記録部、６０…無効化手段としての操作部、６６…設定手段としての設定キー、７０…表示手段としての表示部、８０…記憶手段としての画像メモリ。
【図１】
0003685044.tif 000002
【図２】
0003685044.tif 000003
【図３】
0003685044.tif 000004
【図４】
0003685044.tif 000005
【図５】
0003685044.tif 000006